(57)【特許請求の範囲】
【請求項１】
原稿の画像を読み取る読取部と、
該読取部が読み取った読取データから、所定濃度以上の画素の数を計数する計数部と、
該計数部の計数値が、予め記憶された白紙検知用の閾値未満であるとき、上記原稿が白紙であると判断する白紙検知部と、
を備えた画像読取装置であって、
上記読取部が読み取った読取データに、画質に関わる画像処理を行う画像処理部と、
使用者の操作に応じて上記画像処理部による画像処理の設定を行う画像処理設定部と、
上記画像処理部による画像処理後の読取データを出力する出力部と、
上記画像処理設定部によってなされた設定が、画素の濃度を低下させるものであるか否かを判断する判断部と、
を備え、
上記判断部が上記低下させるものであると判断した場合、上記計数部は、上記画像処理部による画像処理前の読取データから上記画素の数を計数し、上記白紙検知部は、その計数値に基づいて上記判断を行い、上記判断部が上記低下させるものではないと判断した場合、上記計数部は、上記画像処理部による画像処理後の読取データから上記画素の数を計数し、上記白紙検知部は、その計数値に基づいて上記判断を行うことを特徴とする画像読取装置。
【請求項２】
上記画質に関わる画像処理が、画像の明るさを調整するガンマ補正であることを特徴とする請求項１に記載の画像読取装置。
【請求項３】
上記画質に関わる画像処理が、画像のコントラストを調整するガンマ補正であることを特徴とする請求項１に記載の画像読取装置。
【請求項４】
上記画質に関わる画像処理が、画像の拡大または縮小を行う処理であることを特徴とする請求項１に記載の画像読取装置。
【発明の詳細な説明】
【技術分野】
【０００１】
本発明は、原稿の画像を読み取る画像読取装置に関し、詳しくは、原稿が白紙である場合に検知可能な画像読取装置に関する。
【背景技術】
【０００２】
従来、原稿の画像を読み取る画像読取装置では、白紙原稿を読み取った場合、そのことを検知することが提案されている。例えば、予め設定された所定濃度以上の画素の数が閾値未満の場合にその原稿を白紙と判断するのである。その場合、上記閾値を適切に設定する必要がある。そこで、使用者が白紙として検知したくない原稿を画像読取装置に読み取らせ、その読取データに基づいて当該画像読取装置が上記閾値を設定することが提案されている（例えば、特許文献１参照）。
【先行技術文献】
【特許文献】
【０００３】
【特許文献１】特開２００８−２２２７５号公報
【発明の概要】
【発明が解決しようとする課題】
【０００４】
一方、従来の画像読取装置では、原稿が適切な明るさやコントラストで読み取られるように、使用者がガンマ補正等の画像処理に関するパラメータを設定することがなされている。しかしながら、上記特許文献１では、原稿が白紙でないと判断された場合にのみガンマ補正等の画像処理を実行しており（例えば段落００２３）、白紙検知には使用者の上記設定が反映されない。
【０００５】
そこで、本発明は、使用者による画像処理の設定を白紙検知に反映させることにより、適切に白紙検知を行うことのできる画像読取装置の提供を目的としてなされた。
【課題を解決するための手段】
【０００６】
上記目的を達するためになされた本発明は、原稿の画像を読み取る読取部と、該読取部が読み取った読取データから、所定濃度以上の画素の数を計数する計数部と、該計数部の計数値が、予め記憶された白紙検知用の閾値未満であるとき、上記原稿が白紙であると判断する白紙検知部と、を備えた画像読取装置であって、上記読取部が読み取った読取データに、画質に関わる画像処理を行う画像処理部と、使用者の操作に応じて上記画像処理部による画像処理の設定を行う画像処理設定部と、上記画像処理部による画像処理後の読取データを出力する出力部と、上記画像処理設定部によってなされた設定が、画素の濃度を低下させるものであるか否かを判断する判断部と、を備え、上記判断部が上記低下させるものであると判断した場合、上記計数部は、上記画像処理部による画像処理前の読取データから上記画素の数を計数し、上記白紙検知部は、その計数値に基づいて上記判断を行い、上記判断部が上記低下させるものではないと判断した場合、上記計数部は、上記画像処理部による画像処理後の読取データから上記画素の数を計数し、上記白紙検知部は、その計数値に基づいて上記判断を行うことを特徴としている。
【０００７】
このように構成された本発明の画像読取装置では、原稿の画像を読み取る読取部が読み取った読取データに、画像処理部が画質に関わる画像処理を行う。なお、この画像処理の設定は、使用者の操作に応じて画像処理設定部を介してなされる。そして、出力部は、上記画像処理後の読取データを出力する。また、計数部は、画像処理設定部によってなされた設定が画像の濃度を低下させるものではないと判断部が判断した場合、上記画像処理後の読取データから、所定濃度以上の画素の数を計数する。すると、その計数部の計数値が、予め記憶された白紙検知用の閾値未満であるとき、白紙検知部は、上記原稿が白紙であると判断する。従って、本発明では、使用者による画像処理の設定を白紙検知に反映させることにより、適切に白紙検知を行うことができる。
【０００８】
なお、上記出力とは、画像形成装置内部のメモリ等に記憶する処理であっても、画像形成装置の外部にデータとして出力する処理であっても、読取データに対応する画像を被記録媒体に形成する処理であっても、それ以外の処理であってもよい。
【０００９】
また、上記判断部が上記低下させるものであると判断した場合、上記計数部は、上記画像処理部による画像処理前の読取データから上記画素の数を計数する。
【００１０】
画像の濃度を低下させる画像処理を行うと、原稿が白紙であると判断される可能性が高くなる。そして、その場合、画像が記載されている原稿として読み取らせたい原稿までも白紙と判断される可能性が生じる。そこで、上記画像処理設定部によってなされた設定が画素の濃度を低下させるものであると、判断部が判断した場合、上記計数部は、上記画像処理部による画像処理前の読取データから上記画素の数を計数する。従って、この場合、画像が記載されている原稿として読み取らせたい原稿まで白紙と判断されてしまうのを抑制することができる。なお、上記判断部が上記低下させるものではないと判断した場合は、前述のように、上記計数部は、上記画像処理部による画像処理後の読取データから上記画素の数を計数すればよい。
【００１１】
上記画質に関わる画像処理としても、種々の形態が考えられる。例えば、画像の明るさを調整するガンマ補正であってもよく、画像のコントラストを調整するガンマ補正であってもよく、画像の拡大または縮小を行う処理であってもよい。
【図面の簡単な説明】
【００１２】
【図１】本発明が適用された複合機の構成を表す斜視図である。
【図２】その複合機の制御系の構成を表すブロック図である。
【図３】その制御系で用いられるγテーブルを表す説明図である。
【図４】上記複合機のスキャン設定画面を表す説明図である。
【図５】上記γテーブルによるγ補正及び実施の形態の効果を表す説明図である。
【図６】上記制御系の画像読取処理を表すフローチャートである。
【図７】その画像読取処理の画質設定処理を詳細に表すフローチャートである。
【図８】その画質設定処理の読取γ処理を表すフローチャートである。
【図９】その画質設定処理の強調フィルタ・拡大縮小処理を表すフローチャートである。
【発明を実施するための形態】
【００１３】
［複合機の構成］
次に、本発明の実施の形態を図面と共に説明する。図１は、本発明が適用された複合機１の構成を表す斜視図である。図１に示すように、本実施の形態の複合機１は、後述の記録用エンジン５１（図２参照）を内蔵したプリンタ部５の上部に、本発明の画像読取装置の一例としてのスキャナ部１０を積載して構成されている。
【００１４】
スキャナ部１０は、本等の厚手の原稿を読み取る際に原稿が載置されるフラットベッド部２０と、そのフラットベッド部２０に開閉可能に設けられ、ＡＤＦ（Automatic Document Feeder ）を内蔵した原稿カバー３０とを備えている。また、フラットベッド部２０の前端（使用者から見て手前側）には、表示部２３を中心に備えると共に各種ボタンを備えた操作パネル２１が設けられている。なお、原稿カバー３０のＡＤＦは、同じく原稿カバー３０に設けられた給紙トレイ１１０上の原稿を１枚ずつ搬送して、排紙トレイ１３０に排出する周知のものである。そして、原稿カバー３０の内部の原稿搬送経路（不図示）には、上記のように搬送される原稿の画像を読み取る動作と、フラットベッド部２０の表面に沿って移動しながらそこに載置された原稿の画像を読み取る動作とを実行可能なＣＩＳ１４０（図２参照）が設けられている。
【００１５】
図２（Ａ）は、複合機１の制御系の構成を表すブロック図である。図２（Ａ）に示すように、前述のＣＩＳ１４０（読取部の一例）は、ＡＦＥ１４１を介してバス１５０に接続されている。バス１５０には、ＣＰＵ１５１（計数部，白紙検知部，判断部の一例），ＲＡＭ１５２，ＲＯＭ１５３が接続され、更に、電子写真方式で被記録媒体としての用紙に画像を形成する前述の記録用エンジン５１（出力部の一例）と、次のような画処理回路１６０（画像処理部の一例）とが接続されている。
【００１６】
図２（Ｂ）は、画処理回路１６０の構成を詳細に表すブロック図である。ＣＩＳ１４０が読み取った読取データは、ＡＦＥ１４１にてデジタルデータに変換されて、ＣＰＵ１５１に送られる。更にこの読取データは、画処理回路１６０に送られることによって、次のような各種画像処理（画処理ともいう）を施される。すなわち、図２（Ｂ）に示すように、画処理回路１６０は、読取データに読取用のガンマ補正を行う読取γ処理回路１６１と、その補正後の読取データに各種フィルタ処理を行うフィルタ処理回路１６２と、その処理後の読取データに拡大・縮小処理を行う拡大縮小処理回路１６３と、その処理後の読取データに記録用のガンマ補正を行う記録γ処理回路１６４と、を備えている。
【００１７】
図３（Ａ），（Ｂ）は、読取γ処理回路１６１で用いられるγテーブルの一例を表す説明図である。図３（Ａ）は、明るさの値を−５０から＋５０まで変化させた場合の、入力濃度に対する出力濃度の値を表すγテーブルを表している。図３（Ａ）に示すように、上記値をマイナス側に、すなわち明るさを暗く調整したときは、入力された読取データの中間色が濃い目に変更されて出力される。逆に、上記値をプラス側に、すなわち明るさを明るく調整したときは、入力された読取データの中間色が薄めに変更されて出力される。
【００１８】
図３（Ｂ）は、コントラストの値を−５０から＋５０まで変化させた場合の、入力濃度に対する出力濃度の値を表すγテーブルを表している。図３（Ｂ）に示すように、上記値をプラス側に調整したときは、入力された読取データの中間色は一層変化が強調されて出力される。逆に、上記値をマイナス側に調整したときは、入力された読取データの中間色は変化が抑制されて出力される。
【００１９】
そこで、本実施の形態の複合機１は、スキャナ部１０を介して原稿の画像を読み取る画像読取処理の実行時に、表示部２３に図４に例示するようなスキャン設定画面２３０（画像処理設定部の一例）を表示する。図４に示すように、このスキャン設定画面２３０は、カラーまたはモノクロのモード設定を行うためのモード設定部２３１と、出力解像度を設定するための解像度設定部２３２と、拡縮率を設定するための拡縮率設定部２３３と、前述の明るさの値を設定するための明るさ設定部２３４と、前述のコントラストの値を設定するためのコントラスト設定部２３５と、「くっきり」，「きれい」等のオプションのフィルタを設定するためのオプション設定部２３６と、を備えている。また、スキャン設定画面２３０は、上記各種設定がなされた後で画像読取処理の開始を指示するためのスキャンボタン２３７と、上記各種設定を無効にするためのキャンセルボタン２３８とを、更に備えている。
【００２０】
ここで、例えば図５（Ａ）に示すような薄い線の描かれた原稿Ｐを読み取る際は、使用者は上記明るさの値をマイナスの値に設定する。例えば、明るさの値を−５０に設定した場合、図３（Ａ）のγテーブルによる補正後の読取データは図５（Ｂ）に示すようになる。一方、明るさの値が０のままであると、読取データは図５（Ｃ）に示すように薄いままである。しかしながら、従来の画像読取装置では、このようなガンマ補正がなされる前の原稿Ｐの画像に基づいてその原稿Ｐが白紙であるか否かを判断する白紙検知を実行していた。このため、原稿Ｐの画像が薄目であることを使用者が認識して明るさの値を設定しても、それを白紙検知に反映できなかった。
【００２１】
［複合機における処理］
そこで、本実施の形態では、次のような画像読取処理を実行している。図６は、その画像読取処理を表すフローチャートである。なお、この処理は、スキャンボタン２３７が押下されたとき、ＣＰＵ１５１がＲＯＭ１５３に記憶されたプログラムに基づいて実行する処理であり、ＣＰＵ１５１は、原稿Ｐの１ページ毎にこの処理を実行する。
【００２２】
図６に示すように、この処理では、先ず、Ｓ０（Ｓはステップを表す：以下同様）にて、ＣＰＵ１５１はモード設定部２３１を介して設定されたモードを読み込み、ＣＩＳ１４０の読取モードを設定する。続くＳ１では、ＣＰＵ１５１は、読取画質に関わる設定として、拡縮率設定部２３３，明るさ設定部２３４，コントラスト設定部２３５，オプション設定部２３６を介してなされた各設定を読み込み、次のような画質設定処理を行う。
【００２３】
図７は、この画質設定処理を詳細に表すフローチャートである。図７に示すように、この処理では、ＣＰＵ１５１は、先ず、Ｓ１１にて、読取γ処理回路１６１を設定する読取γ処理を実行する。
【００２４】
図８は、この読取γ処理を詳細に表すフローチャートである。図８に示すように、この処理では、先ず、Ｓ１１１にて、読取γがＯＮ、すなわち、明るさの値またはコントラストの値のいずれかが０以外に設定されているか否かを、ＣＰＵ１５１が判断する。読取γがＯＮの場合は（Ｓ１１１：Ｙ）、Ｓ１１３にてＣＰＵ１５１は読取γ処理回路１６１の動作をＯＮに設定する。続くＳ１１５では、その読取γ処理回路１６１にて使用されるγテーブルを、上記明るさの値に応じて変更する。更に続くＳ１１７では、読取γ処理回路１６１にて使用されるγテーブルをコントラストの値に応じて変更して、処理は図７のＳ１３へ移行する。
【００２５】
すなわち、読取γ処理回路１６１では、デフォルトでは上記各値が０に設定されて読取データの入力濃度と出力濃度とが一致するが、上記各値が０以外に設定されたときは、それらの値に応じたガンマ補正が重ねてなされることになる。一方、上記各値が０に設定されて読取γがＯＦＦの場合は（Ｓ１１１：Ｎ）、処理はＳ１１９へ移行し、ＣＰＵ１５１は、読取γ処理回路１６１の動作をＯＦＦに設定して、処理は図７のＳ１３へ移行する。
【００２６】
図７へ戻って、Ｓ１３では、ＣＰＵ１５１は、フィルタ処理回路１６２と拡大縮小処理回路１６３を設定する強調フィルタ・拡大縮小処理を実行する。図９は、この強調フィルタ・拡大縮小処理を詳細に表すフローチャートである。
【００２７】
図９に示すように、この処理では、ＣＰＵ１５１は、先ず、Ｓ１３１にて、オプション設定部２３６に何らかの設定がなされてフィルタがＯＮにされているか否かを判断する。フィルタがＯＮの場合は（Ｓ１３１：Ｙ）、処理はＳ１３２へ移行し、ＣＰＵ１５１は、オプション設定部２３６に「くっきり」が設定されているか否かを判断する。「くっきり」が設定されていない場合は（Ｓ１３２：Ｎ）、処理はＳ１３３へ移行し、ＣＰＵ１５１は、オプション設定部２３６に「きれい」が設定されているか否かを判断する。「きれい」も設定されていない場合は（Ｓ１３３：Ｎ）、処理はＳ１３４へ移行し、フィルタ処理回路１６２の動作をＯＦＦに設定して、処理はＳ１３７へ移行する。また、前述のＳ１３１にて、フィルタがＯＦＦであった場合にも（Ｓ１３１：Ｎ）、同様にＳ１３４にてフィルタ処理回路１６２の動作がＯＦＦに設定されて、処理はＳ１３７へ移行する。
【００２８】
また、Ｓ１３２にて「くっきり」が設定されていた場合は（Ｓ１３２：Ｙ）、Ｓ１３８にて、ＣＰＵ１５１はフィルタ処理回路１６２が内蔵した強調フィルタをＯＮにし、処理はＳ１３７へ移行する。また、Ｓ１３３にて「きれい」が設定されていた場合は（Ｓ１３３：Ｙ）、Ｓ１３９にて、ＣＰＵ１５１はフィルタ処理回路１６２が内蔵した強調フィルタ及び平滑フィルタをＯＮにし、処理はＳ１３７へ移行する。なお、これらの強調フィルタ，平滑フィルタは、周知の画像処理フィルタであるので、ここでは詳述しない。
【００２９】
Ｓ１３７では、ＣＰＵ１５１は、拡縮率設定部２３３によって１００％を上回る拡縮率が設定されているか否かを判断する。１００％を上回る拡縮率が設定されていない場合は（Ｓ１３７：Ｎ）、ＣＰＵ１５１は、Ｓ１４１にて、拡縮率が１００％であるか否かを判断する。拡縮率が１００％の場合は（Ｓ１４１：Ｙ）、処理はＳ１４３へ移行し、ＣＰＵ１５１は拡大縮小処理回路１６３の動作をＯＦＦに設定して、処理は図７のＳ１５へ移行する。
【００３０】
一方、拡縮率が１００％でない場合は（Ｓ１４１：Ｎ）、拡縮率が１００％未満の場合であるので、処理はＳ１４５へ移行し、ＣＰＵ１５１は、拡大縮小処理回路１６３における縮小動作をＯＮにして拡縮率設定部２３３にて設定された拡縮率を設定し、処理は図７のＳ１５へ移行する。また、拡縮率が１００を上回る場合は（Ｓ１３７：Ｙ）、処理はＳ１４７へ移行し、ＣＰＵ１５１は、拡大縮小処理回路１６３における拡大動作をＯＮにして拡縮率設定部２３３にて設定された拡縮率を設定し、処理は図７のＳ１５へ移行する。
【００３１】
図７へ戻って、このような強調フィルタ・拡大縮小処理（Ｓ１３）が終了すると、続くＳ１５にて、ＣＰＵ１５１は、コピーモードが設定されているか否かを判断する。すなわち、このような画像読取処理は、読取データをリムーバブルディスク等の携帯型記憶媒体に記憶するモードや、読取データをパーソナルコンピュータに送信するＰＣスキャンモードや、読取データに基づいて記録用エンジン５１を駆動するコピーモード等の過程で実行される。そこで、Ｓ１５では、当該画像読取処理がコピーモードの過程で実行されたか否かをＣＰＵ１５１が判断するのである。
【００３２】
そして、ＣＰＵ１５１は、コピーモードが設定されている場合は（Ｓ１５：Ｙ）、Ｓ１７にて記録γ処理回路１６４の動作をＯＮに設定し、コピーモードが設定されていない場合は（Ｓ１５：Ｎ）、Ｓ１９にて記録γ処理回路１６４の動作をＯＦＦに設定する。そして、Ｓ１７またはＳ１９の処理が終了すると、処理は図６のＳ５へ移行する。
【００３３】
図６へ戻って、Ｓ５では、ＣＰＵ１５１は、ＣＩＳ１４０による周知の読取動作の開始を指示し、Ｓ７（判断部の一例としての処理）にて、Ｓ１にて読み込んだ画質設定が画像を濃くする設定であるか否かを判断する。すなわち、明るさの値がマイナスまたは０に設定されているか否かを判断する。画質設定が画像を濃くする設定である場合は（Ｓ７：Ｙ）、処理はＳ９へ移行し、ＣＰＵ１５１は、画処理回路１６０へ読取データを送って画処理がなされた読取データを取得する画処理を実行する。すると、Ｓ５の読取開始に応じてＡＦＥ１４１を介して入力された読取データに、Ｓ１にて設定された内容に応じた画処理が画処理回路１６０によって施される。
【００３４】
続くＳ２１では、ＣＰＵ１５１は、Ｓ９による画処理が終了した読取データをＲＡＭ１５２に記憶し、続くＳ２３にて、ＣＰＵ１５１（計数部の一例）は、上記画処理が終了した読取データを構成する画素から、所定濃度範囲（上限の設定はなく事実上所定濃度以上）の画素の数を計数する。続くＳ２５では、ＣＰＵ１５１は、原稿Ｐの全てのラインに対して上記Ｓ９〜Ｓ２３の処理が終了したか否かを判断し、終了していない場合は（Ｓ２５：Ｎ）、Ｓ９〜Ｓ２３の処理を繰り返す。なお、Ｓ９〜Ｓ２３の処理は、必ずしも１ライン毎になされる必要はなく、数ライン毎に実行されてもよい。
【００３５】
そして、Ｓ９〜Ｓ２３の処理が全てのラインに対して終了すると（Ｓ２５：Ｙ）、処理はＳ２７（白紙検知部の一例としての処理）へ移行し、ＣＰＵ１５１は、Ｓ２３における当該原稿Ｐに対する総カウント値（計数値）が予め設定された閾値以上であるか否かを判断する。そして、閾値以上である場合は（Ｓ２７：Ｙ）、その原稿Ｐは白紙ではないと推定できるので、ＣＰＵ１５１は、ＲＡＭ１５２に記憶された読取データを通常データとして出力して、処理を一旦終了する。その結果、上記画処理後の読取データは、ＰＣスキャンモードであればパーソナルコンピュータに送られ、コピーモードであれば記録用エンジン５１に送られる。一方、上記総カウント値が上記閾値未満のときは（Ｓ２７：Ｎ）、処理はＳ３１へ移行し、ＣＰＵ１５１は、当該読取データを出力することなく消去して、処理を一旦終了する。
【００３６】
一方、画質設定が画像を薄くする設定である場合は（Ｓ７：Ｎ）、処理はＳ４１（計数部の一例としての処理）へ移行し、ＣＰＵ１５１は、上記画処理前の読取データに対して、Ｓ２３と同様に所定濃度範囲の画素の数を計数する。続いて、ＣＰＵ１５１は、Ｓ４３にてＳ９と同様の画処理を実行し、更に、Ｓ４５にて、画処理が終了した読取データをＲＡＭ１５２に記憶する。続くＳ４７では、ＣＰＵ１５１は、全てのラインに対してＳ４１〜Ｓ４５の処理が終了したか否かを判断し、終了していない場合は（Ｓ４７：Ｎ）、処理は前述のＳ４１へ、終了した場合は（Ｓ４７：Ｙ）、処理は前述のＳ２７へ、それぞれ移行する。
【００３７】
［本実施の形態の効果及びその変形例］
このように、本実施の形態では、画像を濃くする画質設定の場合（Ｓ７：Ｙ）、画処理後の読取データに対して、所定濃度範囲の画素数を計数して閾値と比較する白紙検知の処理（Ｓ２３，Ｓ２７）を実行している。このため、本実施の形態では、使用者による画処理の設定を白紙検知の処理に反映させて、適切に白紙検知を行うことができる。
【００３８】
例えば、前述の図５の例で、明るさの値を−５０に設定した場合、画像処理後は図５（Ｂ）に例示するように所定濃度範囲の画素の数（図５では黒画素と表記）が１２００であれば、閾値の１０００を超えて白紙でないと認識される。これに対して、画処理の設定が反映されない従来の画像読取装置では、図５（Ｃ）に例示するように、上記明るさの値の設定が反映されないために所定濃度範囲の画素の数が例えば６００となり、閾値の１０００を下回って白紙と認識されてしまう。
【００３９】
また、このように、読取データを適切に出力するためになされる画処理の設定は、使用者が通常一般的に行っている操作であり、白地検知の精度向上のために使用者に余分な操作を強いることもない。
【００４０】
また、本実施の形態では、画質設定が画像を濃くする設定である場合にのみ（Ｓ７：Ｙ）、画処理後の読取データに対して上記白紙検知の処理を実行し、画像を薄くする設定の場合は（Ｓ７：Ｎ）、画処理前の読取データに対して白紙検知の処理を実行している。このため、次のような効果が生じる。すなわち、画像を薄くする画処理がなされると、上記総カウント値が閾値を下回って原稿Ｐが白紙であると判断される可能性が高くなる。その場合、使用者が画像が記載されている原稿Ｐとして読み取らせたい原稿Ｐまでも白紙と判断されるて読取データが消去される可能性が生じる。そこで、上記のように画像を濃くする設定である場合にのみ画処理後の読取データに対して白紙検知を行えば、画像が記載されている原稿Ｐとして読み取らせたい原稿Ｐまで白紙と判断されてしまうのを抑制することができる。
【００４１】
なお、本発明は上記実施の形態に何ら限定されるものではなく、本発明の要旨を逸脱しない範囲で種々の形態で実施することができる。例えば、上記総カウント値が閾値を下回って白紙であると判断された原稿Ｐに係る読取データは必ずしも消去されなくてもよく、ＲＡＭ１５２に一時的に保持されてもよく、所望に応じて、白紙でないと判断された読取データと同様に出力（印刷等）されてもよい。更に、本発明は、プリンタ部５等を有さないスキャナ専用機にも適用可能であることはいうまでもない。
【符号の説明】
【００４２】
１…複合機              ５…プリンタ部                １０…スキャナ部
２１…操作パネル        ２３…表示部                  ５１…記録用エンジン
１３０…排紙トレイ      １４１…ＡＦＥ                １４０…ＣＩＳ
１５１…ＣＰＵ          １５２…ＲＡＭ                １５３…ＲＯＭ
１６０…画処理回路      ２３０…スキャン設定画面      Ｐ…原稿
【図１】
0005617502.tif 000002
【図２】
0005617502.tif 000003
【図３】
0005617502.tif 000004
【図４】
0005617502.tif 000005
【図５】
0005617502.tif 000006
【図６】
0005617502.tif 000007
【図７】
0005617502.tif 000008
【図８】
0005617502.tif 000009
【図９】
0005617502.tif 000010